(57)【要約】      （修正有）【課題】作業現場で給水供給設備、給湯供給設備、暖房用ボイラー等の設置とホテル等内に設けられた給水設備、給湯設備、暖房設備の入口端部、出口端部との配管結合作業を多くの労力と時間を要することなく容易に行うことができる給水、給湯、暖房ボイラーユニットを提供する。【解決手段】給水配管ライン２、ボイラー8a,8bを有する給湯配管ライン７、ボイラー16を有する暖房用温水供給配管ライン15、ボイラー8a,8b,16へのオイル供給配管ライン21を内部に組み込み、給水配管ライン２の一部を分岐して給湯配管ライン７に接続するとともに、各配管ラインにはそれぞれ切り替えバルブを介して２組の入口端部と出口端部を設けるようにした給水・給湯・暖房ボイラーユニット。【選択図】図１
0003103076.tif 000002
【実用新案登録請求の範囲】
【請求項１】
内部に給水配管ライン、１基又は２基以上のボイラーを有する給湯配管ライン、１基又は２基以上のボイラーを有する暖房用温水供給配管ラインを有すると共に、上記各配管ラインにはそれぞれ切り替えバルブを介して２組の入口端部と出口端部を設けるようにしたことを特徴とする給水・給湯・暖房ボイラーユニット。
【請求項２】
ボイラーへのオイル供給配管ラインを内部に組み込むと共に、該配管ラインには切り替えバルブを介して２組の入口端部と出口端部を設けた請求項１記載のユニット。
【請求項３】
給水配管ラインの一部を分岐して給湯配管ラインに接続する請求項１記載のユニット。
【考案の詳細な説明】
【技術分野】
【０００１】
この考案は、ホテル等の給水・給湯・暖房システムの施工及び工期短縮を容易にする給水・給湯・暖房ボイラーユニットに関するものである。
【背景技術】
【０００２】
従来、ホテル等の給水・給湯・暖房システムにおいては、屋上等に給水供給設備、給湯供給設備、暖房用ボイラー等を個々別々に配置し、これらをそれぞれホテル等内に設けられた給水設備、給湯設備、暖房設備に結合してそれぞれの設備に給水、給湯、暖房温水を循環させることが行われていた。
【特許文献１】登録実用新案第3044938号
【考案の開示】
【考案が解決しようとする課題】
【０００３】
しかし、この場合屋上等において給水供給設備、給湯供給設備、暖房用ボイラー等を組み立てて配置するのは、多くの労力と時間を要する作業である。
【０００４】
また、折角配置されたこれらの設備の入口端部、出口端部に対してホテル等内に設けられた給水設備、給湯設備、暖房設備の入口端部、出口端部が遠い位置或いは結合しにくい位置にある場合、これらの端部を配管結合するのは、多くの労力と時間を要する作業である。
【課題を解決するための手段】
【０００５】
この考案は、上記実情に鑑み、内部に給水配管ライン、１基又は２基以上のボイラーを有する給湯配管ライン、１基又は２基以上のボイラーを有する暖房用温水供給配管ラインを有すると共に、上記各配管ラインにはそれぞれ切り替えバルブを介して２組の入口端部と出口端部を設けるようにした給水・給湯・暖房ボイラーユニットを提案するものである。
【０００６】
即ち、この考案によれば内部に給水配管ライン、１基又は２基以上のボイラーを有する給湯配管ライン、１基又は２基以上のボイラーを有する暖房用温水供給配管ラインが組み込まれているため、作業現場で給水供給設備、給湯供給設備、暖房用ボイラー等を組み立てる作業を行う必要がない。
【０００７】
また、この考案では上記各配管ラインにはそれぞれ切り替えバルブを介して２組の入口端部と出口端部が設けられているため、ホテル等内に設けられた給水設備、給湯設備、暖房設備の入口端部、出口端部に対して近い位置にある入口、出口端部或いは結合しやすい位置にある入口、出口端部を選択して配管結合することができる。
【０００８】
なお、この考案に係るユニットにはボイラーへのオイル供給配管ラインを内部に組み込むと共に、該配管ラインには切り替えバルブを介して２組の入口端部と出口端部を設けるようにしてもよい。
【０００９】
また、ユニット内に組み込まれた給水配管ラインの一部を分岐して給湯配管ラインに接続するようにしてもよい。
【考案の効果】
【００１０】
この考案によれば、作業現場で給水供給設備、給湯供給設備、暖房用ボイラー等の設置とホテル等内に設けられた給水設備、給湯設備、暖房設備の入口端部、出口端部との配管結合作業を多くの労力と時間を要することなく容易に行うことができる。
【考案を実施するための最良の形態】
【００１１】
給水配管ライン、１基又は２基以上のボイラーを有する給湯配管ライン、１基又は２基以上のボイラーを有する暖房用温水供給配管ライン、上記ボイラーへのオイル供給配管ラインを内部に組み込み、上記給水配管ラインの一部を分岐して給湯配管ラインに接続するとともに、上記各配管ラインにはそれぞれ切り替えバルブを介して２組の入口端部と出口端部を設けるようにした給水・給湯・暖房ボイラーユニット。
【実施例１】
【００１２】
以下、この考案を図示の実施例に基づいて詳細に説明すると、１は内部に給水配管ライン、給湯配管ライン、暖房用温水供給配管ライン、オイル供給配管ラインを組み込んだこの考案に係るユニットである。
【００１３】
２は２基の循環ポンプ3a,3bを有する給水配管ラインで、給水配管ライン２はユニット１の両端部にそれぞれ２組の入口、出口端部4a,4bと5a,5bを有し、入口端部4aと5aの間には切り替えバルブ6a、出口端部4bと5bの間には切り替えバルブ6bが設けられている。
【００１４】
７は２基のボイラ−8a,8bと２基の循環ポンプ9a,9bを有する給湯配管ラインで、給湯配管ライン７はユニット１の両端部にそれぞれ２組の入口、出口端部10a,10bと11a,11bを有し、入口端部10aと11aの間には切り替えバルブ12a、出口端部10bと11bの間には切り替えバルブ12bが設けられている。
【００１５】
なお、この実施例では給水配管ライン２の一部を分岐し、その分岐端部13を給湯配管ライン７の分岐端部14と結合して給水の一部を給湯ライン７に供給するようにしてある。
【００１６】
一方、15は１基のボイラ−16と２基の循環ポンプ17a,17bを有する暖房用温水供給配管ラインで、温水供給配管ライン15はユニット１の両端部にそれぞれ２組の入口、出口端部18a,18bと19a,19bを有し、入口端部18aと19aの間には切り替えバルブ20a、出口端部18bと18bの間には切り替えバルブ20bが設けられている。
【００１７】
また、21はオイルタンク22を有し、オイルタンク22からボイラー8a,8bとボイラー16にオイルを供給するためのオイル供給配管ラインで、オイル供給配管ライン21はユニット１の両端部にそれぞれ２組の入口、出口端部23a,23bと24a,24bを有し、入口端部23aと24aの間には切り替えバルブ25a、出口端部23bと23bの間には切り替えバルブ25bが設けられている。
【００１８】
以上の構成からなるユニット１はホテルの屋上等に設置され、一方バルブ6a,6bを切り替えてホテル内に設置された給水設備の入口端部、出口端部に対して近い位置にある入口、出口端部4a,4bと5a,5bの何れかを選択してこれに給水設備の入口、出口端部を配管結合して給水設備からの給水を循環させる。
【００１９】
また、バルブ12a,12bを切り替えてホテル内に設置された給湯設備の入口端部、出口端部に対して近い位置にある入口、出口端部10a,10bと11a,11bの何れかを選択してこれに給湯設備の入口、出口端部を配管結合して給湯設備からの給湯を循環させる。
【００２０】
更に、バルブ20a,20bを切り替えてホテル内に設置された暖房設備の入口端部、出口端部に対して近い位置にある入口、出口端部18a,18bと19a,19bの何れかを選択してこれに暖房設備の入口、出口端部を配管結合して暖房設備からの温水を循環させる。
【００２１】
一方、ホテルに設置されたオイル貯層設備に対しては、その入口、出口端部に近い位置にあるに２組の入口、出口端部23a,23bと24a,24bのうちの何れかをバルブ25aと25bを切り替えて配管結合し、これよりオイルタンク22にオイルを供給するようにする。
【産業上の利用可能性】
【００２２】
以上要するに、この考案によれば作業現場で給水供給設備、給湯供給設備、暖房用ボイラー等の設置とホテル等内に設けられた給水設備、給湯設備、暖房設備の入口端部、出口端部との配管結合作業を多くの労力と時間を要することなく容易に行うことができる。
【図面の簡単な説明】
【００２３】
【図１】この考案に係わる給水・給湯・暖房ボイラーユニットの平面図
【図２】同上のユニット内に組み込まれた給水配管ラインを示す図
【図３】同上のユニット内に組み込まれた給湯配管ラインを示す図
【図４】同上のユニット内に組み込まれた暖房用温水供給配管ラインを示す図
【図５】同上のユニット内に組み込まれたオイル供給配管ラインを示す図
【符号の説明】
【００２４】
１はこの考案に係るユニット
２は給水配管ライン
3a,3bは給水配管の循環ポンプ
4a,4bと5a,5bは２組の給水配管ラインの入口、出口端部
6aと6bは給水配管ラインの２組の入口、出口端部の切り替えバルブ
７は給湯配管ライン
8a,8bは給湯配管ラインのボイラ−
9a,9bは給湯配管ラインの循環ポンプ
10a,10bと11a,11bは２組の給湯配管ラインの入口、出口端部
12aと12bは給湯配管ラインの２組の入口、出口端部の切り替えバルブ
13は給水配管ラインの分岐端部
14は給湯配管ラインの分岐端部
15は暖房用温水供給配管ライン
16は暖房用温水供給配管ラインのボイラ−
17a,17bは暖房用温水供給配管ラインの循環ポンプ
18a,18bと19a,19bは２組の暖房用温水供給配管ラインの入口、出口端部
20aと20bは暖房用温水供給配管ラインの２組の入口、出口端部の切り替えバルブ
21はオイル供給配管ライン
22はオイル供給配管ラインのオイルタンク
23a,23bと24a,24bは２組のオイル供給配管ラインの入口、出口端部
25aと25bはオイル供給ラインの２組の入口、出口端部の切り替えバルブ
【図１】
0003103076.tif 000003
【図２】
0003103076.tif 000004
【図３】
0003103076.tif 000005
【図４】
0003103076.tif 000006
【図５】
0003103076.tif 000007